(57)【要約】【課題】  遊技者が不正支援機を用いたとしても、当たり遊技を不正取得しにくいようにできる遊技機を提供することを目的とする。【解決手段】  制御装置が、始動入賞部品４への球の始動入賞により当たり外れ抽選カウンタ２４のカウント値を取得し、当たり外れ抽選カウンタのカウント値毎に当たり外れ抽選結果を対応付けた当たり外れ知識２５に上記取得したカウント値を照合して当たり外れ抽選結果を取得し、この当たり外れ抽選結果を当たりの抽選結果であると判定した場合に当たり遊技を行う遊技機において、制御装置（主制御装置１５）が、当たり外れ抽選結果判定手段１００とカウント動作制御手段１０１とを備え、当たり外れ抽選結果判定手段が当たり外れ抽選結果を当たりの抽選結果であると判定した場合に、カウント動作制御手段が当たり外れ抽選カウンタのカウント動作を停止した後にカウント動作を再開する構成とした。【選択図】        図１
2004160201.tif 000002
【特許請求の範囲】
【請求項１】
制御装置が、始動入賞部品への球の始動入賞あるいは遊技開始操作手段の操作により当たり外れ抽選カウンタのカウント値を取得し、当たり外れ抽選カウンタのカウント値毎に当たり外れ抽選結果を対応付けた当たり外れ知識に上記取得したカウント値を照合して当たり外れ抽選結果を取得し、この取得した当たり外れ抽選結果を当たりの抽選結果であると判定した場合に当たり遊技を行う遊技機において、制御装置が、当たり外れ抽選結果判定手段とカウント動作制御手段とを備え、当たり外れ抽選結果判定手段が当たり外れ抽選結果を当たりの抽選結果であると判定した場合に、カウント動作制御手段が当たり外れ抽選カウンタのカウント動作を停止した後にカウント動作を再開したことを特徴とする遊技機。
【請求項２】
制御装置がカウント動作停止時間抽選手段を備え、当たり外れ抽選結果判定手段が当たり外れ抽選結果を当たりの抽選結果であると判定した場合に、カウント動作停止時間抽選手段がカウント動作停止時間抽選カウンタのカウント値を取得し、カウント動作停止時間抽選カウンタのカウント値毎に停止時間情報を対応付けたカウント動作停止時間知識に上記取得したカウント値を照合して停止時間情報を取得し、カウント動作制御手段が上記取得した停止時間情報に基づく停止時間だけ当たり外れ抽選カウンタのカウント動作を停止したことを特徴とする請求項１に記載の遊技機。
【請求項３】
当たり外れ抽選結果判定手段が当たり外れ抽選結果を当たりの抽選結果であると判定した場合に、カウント動作制御手段が予め当たりの抽選結果に付加された停止時間情報を取得して、この停止時間情報に基づく停止時間だけ当たり外れ抽選カウンタのカウント動作を停止したことを特徴とする請求項１に記載の遊技機。
【請求項４】
制御装置が、演出部品を制御する副制御装置に当たり予告情報を送出する当たり予告情報送出手段を備え、当たり予告情報送出手段が当たり外れ抽選カウンタのカウント動作の再開後に当たり予告情報を副制御装置に送出し、副制御装置が当たり予告情報の内容に従って当たり予告演出を行うことを特徴とする請求項１ないし請求項３のいずれかに記載の遊技機。
【請求項５】
当たり外れ知識が、当たり予告情報の付加されている当たりの抽選結果と、当たり予告情報の付加されていない当たりの抽選結果と、当たり予告情報の付加されている外れの抽選結果と、当たり予告情報の付加されていない外れの抽選結果とを備え、当たり外れ抽選結果判定手段が当たり外れ抽選で得た当たり外れ抽選結果を外れの抽選結果であると判定しかつ当該外れの抽選結果に当たり予告情報が付加されていると判定した場合に、当たり予告情報送出手段が当たり予告情報を副制御装置に送出し、副制御装置が当たり予告情報の内容に従って当たり予告演出を行うことを特徴とする請求項４に記載の遊技機。
【請求項６】
副制御装置が表示制御装置、音制御装置、表示灯制御装置であり、当たり予告情報が、表示制御装置に当たり予告図柄を表示させるための当たり予告情報、あるいは音制御装置に当たり予告音を出力させるための当たり予告情報、あるいは表示灯制御装置に当たり予告点灯点滅を行わせる当たり予告情報、のうちの少なくとも１つであることを特徴とする請求項４又は請求項５に記載の遊技機。
【請求項７】
制御装置が、当たり外れ抽選カウンタのカウント動作停止中に発生した始動入賞数分の当たり外れ抽選を当たり外れ抽選カウンタのカウント動作の再開後に行う抽選補償手段を備えたことを特徴とする請求項１ないし請求項６のいずれかに記載の遊技機。
【請求項８】
始動入賞により表示器に当たり外れ図柄の変動表示を行う表示制御装置を備えるとともに、制御装置が、始動入賞による図柄変動表示の開始から当たり遊技が終了するまでの一連の遊技中に生じた始動入賞数を記憶する始動入賞数記憶部と、始動入賞による図柄変動表示の開始から当たり遊技が終了するまでの一連の遊技中の当たり外れ抽選により得られた当たり外れ抽選結果を記憶する当たり外れ抽選結果記憶部と、を備え、抽選補償手段が、当たり遊技後に、始動入賞数記憶部に記憶されている始動入賞数と当たり外れ抽選結果記憶部に記憶されている当たり外れ抽選結果数とを比較し、始動入賞数が当たり外れ抽選結果記憶数より多い場合に、カウント動作停止中に始動入賞があったと判断して、そのカウント動作停止中にあった始動入賞数分の当たり外れ抽選を当たり外れ抽選手段に行わせたことを特徴とする請求項７に記載の遊技機。
【発明の詳細な説明】
【技術分野】
【０００１】
本発明はパチンコ機やスロットマシン等の遊技機において当たり遊技の不正取得防止に関する。
【背景技術】
【０００２】
一般に、パチンコ機では、始動入賞部品への球の始動入賞により当たり外れ抽選カウンタのカウント値を取得し、当たり外れ抽選カウンタのカウント値毎に当たり外れ抽選結果が対応付けられた当たり外れ知識に上記取得したカウント値を照合して当たり外れ抽選結果を抽出する当たり外れ抽選が行われ、当たりの抽選結果が得られた場合に当たり遊技となる。
また、スロットマシンでは、遊技開始操作手段の操作のタイミングで当たり外れ抽選カウンタのカウント値を取得し、当たり外れ抽選カウンタのカウント値毎に当たり外れ抽選結果が対応付けられた当たり外れ知識に上記取得したカウント値を照合して当たり外れ抽選結果を抽出する当たり外れ抽選が行われ、当たりの抽選結果が得られた場合に当たり遊技となる。
また、当たり外れ抽選により当たりの抽選結果が得られた場合に、主制御装置が表示制御装置や音制御装置等の副制御装置に一定のタイミングで当たり予告情報（当たり予告コマンド）を送信して副制御装置に当たり予告演出を行わせる。例えば表示器に当たり予告図柄を表示させる当たり予告情報を表示制御装置に送信したり、スピーカを介して当たり予告の音を発生させる当たり予告情報を音制御装置に送信するパチンコ機やスロットマシン等の遊技機もある。
しかしながら、例えば巡回形のカウンタで形成された当たり外れ抽選カウンタは一定のタイミング（例えば主制御装置の１回の処理サイクル時間である４ｍｓ毎）でカウント動作を行っているので、当たりの抽選結果を１回得た後に、遊技者がいわゆる体感機やぶら下がり基板と呼ばれるような不正支援機等を用いて、当たりの抽選結果が割り付けられた当たり外れ抽選カウンタのカウント値、即ち、当たり外れ抽選カウンタの当たりカウント値の配置の周期性を把握できる可能性がある。この当たりカウント値の配置の周期性を把握できれば、一定のタイミングでカウント動作を行っている当たり外れ抽選カウンタが当たりカウント値をカウントする時期を把握できるようになり、遊技者はこの当たり外れ抽選カウンタが当たりカウント値をカウントする時期を狙って始動入賞を狙うことにより当たり抽選結果を得ることができる可能性が高くなり、当たり遊技を不正取得しやすくなる。
また、当たり外れ抽選結果を判定した後、一定時間経過後に副制御装置に当たり予告情報を送信する遊技機においては、当たり予告情報の送信時の音などを確認することにより当たり予告情報の送信タイミングを把握される可能性がある。当たり外れ抽選結果を判定した後に一定のタイミングで送信される当たり予告情報の送信タイミングを把握されると、不正支援機等を用いて当たり外れ抽選カウンタの当たりカウント値の配置の周期性を把握されやすくなる。
また、主制御装置から副制御装置に送信する当たり遊技中の効果音出力要求コマンドの送信タイミングをランダムに変化させることで、この効果音出力要求コマンドを受けた副制御装置によりスピーカを介して出力される効果音が当たり遊技中の遊技者によるいわゆる目押しの補助とならないようにしたスロットマシンが知られている（例えば、特許文献１参照）。
【特許文献１】特開２０００−１５７６６３号公報
【発明の開示】
【発明が解決しようとする課題】
【０００３】
特許文献１のスロットマシンでは、遊技者の図柄停止ボタンの操作により回胴表示装置のリール図柄が当たり図柄で揃った後の当たり遊技中に送信される効果音出力要求コマンドの送信タイミングをランダムに変化させているだけであり、当たり外れ抽選カウンタのカウント動作は一定のタイミングで行われている。
従って、上述したように、不正支援機を用いて、当たり外れ抽選カウンタの当たりカウント値の配置の周期性を不正に把握され、当たり遊技を不正取得されやすいという課題があった。
本発明は、遊技者が不正支援機を用いたとしても、当たり外れ抽選カウンタの当たりカウント値の配置の周期性を把握しにくいようにでき、当たり遊技を不正取得しにくいようにできる遊技機を提供することを目的とする。
【課題を解決するための手段】
【０００４】
本発明の請求項１に係る遊技機は、制御装置が、始動入賞部品への球の始動入賞あるいは遊技開始操作手段の操作により当たり外れ抽選カウンタのカウント値を取得し、当たり外れ抽選カウンタのカウント値毎に当たり外れ抽選結果を対応付けた当たり外れ知識に上記取得したカウント値を照合して当たり外れ抽選結果を取得し、この取得した当たり外れ抽選結果を当たりの抽選結果であると判定した場合に当たり遊技を行う遊技機において、制御装置が、当たり外れ抽選結果判定手段とカウント動作制御手段とを備え、当たり外れ抽選結果判定手段が当たり外れ抽選結果を当たりの抽選結果であると判定した場合に、カウント動作制御手段が当たり外れ抽選カウンタのカウント動作を停止した後にカウント動作を再開する構成とした。
請求項２では、制御装置がカウント動作停止時間抽選手段を備え、当たり外れ抽選結果判定手段が当たり外れ抽選結果を当たりの抽選結果であると判定した場合に、カウント動作停止時間抽選手段がカウント動作停止時間抽選カウンタのカウント値を取得し、カウント動作停止時間抽選カウンタのカウント値毎に停止時間情報を対応付けたカウント動作停止時間知識に上記取得したカウント値を照合して停止時間情報を取得し、カウント動作制御手段が上記取得した停止時間情報に基づく停止時間だけ当たり外れ抽選カウンタのカウント動作を停止した。
請求項３では、当たり外れ抽選結果判定手段が当たり外れ抽選結果を当たりの抽選結果であると判定した場合に、カウント動作制御手段が予め当たりの抽選結果に付加された停止時間情報を取得して、この停止時間情報に基づく停止時間だけ当たり外れ抽選カウンタのカウント動作を停止した。
請求項４では、制御装置が、演出部品を制御する副制御装置に当たり予告情報を送出する当たり予告情報送出手段を備え、当たり予告情報送出手段が当たり外れ抽選カウンタのカウント動作の再開後に当たり予告情報を副制御装置に送出し、副制御装置が当たり予告情報の内容に従って当たり予告演出を行う。
請求項５では、当たり外れ知識が、当たり予告情報の付加されている当たりの抽選結果と、当たり予告情報の付加されていない当たりの抽選結果と、当たり予告情報の付加されている外れの抽選結果と、当たり予告情報の付加されていない外れの抽選結果とを備え、当たり外れ抽選結果判定手段が当たり外れ抽選で得た当たり外れ抽選結果を外れの抽選結果であると判定しかつ当該外れの抽選結果に当たり予告情報が付加されていると判定した場合に、当たり予告情報送出手段が当たり予告情報を副制御装置に送出し、副制御装置が当たり予告情報の内容に従って当たり予告演出を行う。
請求項６では、副制御装置が表示制御装置、音制御装置、表示灯制御装置であり、当たり予告情報が、表示制御装置に当たり予告図柄を表示させるための当たり予告情報、あるいは音制御装置に当たり予告音を出力させるための当たり予告情報、あるいは表示灯制御装置に当たり予告点灯点滅を行わせる当たり予告情報、のうちの少なくとも１つであることとした。
請求項７では、制御装置が、当たり外れ抽選カウンタのカウント動作停止中に発生した始動入賞数分あるいは遊技開始操作手段の操作分の当たり外れ抽選を当たり外れ抽選カウンタのカウント動作の再開後に行う抽選補償手段を備えた。
請求項８では、始動入賞により表示器に当たり外れ図柄の変動表示を行う表示制御装置を備えるとともに、制御装置が、始動入賞による図柄変動表示の開始から当たり遊技が終了するまでの一連の遊技中に生じた始動入賞数を記憶する始動入賞数記憶部と、始動入賞による図柄変動表示の開始から当たり遊技が終了するまでの一連の遊技中の当たり外れ抽選により得られた当たり外れ抽選結果を記憶する当たり外れ抽選結果記憶部と、を備え、抽選補償手段が、当たり遊技後に、始動入賞数記憶部に記憶されている始動入賞数と当たり外れ抽選結果記憶部に記憶されている当たり外れ抽選結果数とを比較し、始動入賞数が当たり外れ抽選結果記憶数より多い場合に、カウント動作停止中に始動入賞があったと判断して、そのカウント動作停止中にあった始動入賞数分の当たり外れ抽選を当たり外れ抽選手段に行わせた。
【発明の効果】
【０００５】
請求項１によれば、当たりの抽選結果を得た場合に当たり外れ抽選カウンタのカウント動作を停止したので、当たりの抽選結果を得た後は、当たり外れ抽選カウンタが当たりカウント値をカウントする時期がずれることになるので、遊技者が不正支援機を用いたとしても、当たり外れ抽選カウンタの当たりカウント値の配置の周期性を把握しにくいようにでき、当たり遊技を不正取得しにくいようにできる。
請求項２によれば、当たりの抽選結果が得られる毎に停止時間抽選が行われて当たりの抽選結果が得られる毎に異なる停止時間が設定される可能性が高くなるので、さらに当たりカウント値の配置の周期性を把握しにくくできる。
請求項３によれば、カウント動作停止時間抽選を行うことなく、当たりの抽選結果毎に当たり外れ抽選カウンタを停止させることができ、請求項２のカウント動作停止時間抽選を行う場合と同様な効果が得られる。
請求項４によれば、当たりの抽選結果を得た場合はカウント動作停止時間抽選で得られた停止時間を経過してから当たり予告情報を副制御装置に送出するので、副制御装置に当たり予告演出を行わせることができるとともに、遊技者に送信タイミングを把握されたとしても、当たりの抽選結果を得た後は、当たり外れ抽選カウンタが当たりカウント値をカウントする時期がずれることになるので、遊技者が不正支援機を用いたとしても、当たり外れ抽選カウンタの当たりカウント値の配置の周期性を把握しにくいようにできる。即ち、当たり外れ抽選結果を判定した後に一定のタイミングで当たり予告情報を送信して、当たり外れ抽選カウンタの当たりカウント値の配置の周期性を把握されやすい従来の遊技機に比べて、副制御装置に当たり予告演出を行わせることができて遊技に面白さを付与できるとともに、当たり遊技を不正取得しにくいようにできる。
請求項５によれば、外れの抽選結果を取得した場合であっても当たり予告情報が送信される場合があるので、当たりの抽選結果を取得した場合の当たり予告情報の送信タイミングも把握しにくくなり、当たり外れ抽選カウンタの当たりカウント値の配置の周期性を把握することがさらに困難になる。
請求項６によれば、請求項４，５の効果に加え、当たり予告図柄、当たり予告音、当たり予告点灯点滅のうちの１以上の当たり予告演出を行えるので、遊技性が向上する。
請求項７によれば、抽選補償手段により、当たり外れ抽選カウンタのカウント動作停止中に発生した始動入賞数分あるいは遊技開始操作手段の操作数分、即ち、未抽選数分の当たり外れ抽選を遊技者に提供できるので、遊技者に与えられるべき当たり外れ抽選の利益を補償できるようになる。
請求項８によれば、抽選補償手段により、当たり外れ抽選カウンタのカウント動作停止中に発生した始動入賞数、即ち、未抽選数を算出でき、この未抽選数分の当たり外れ抽選を当たり遊技後に行うことができるので、始動入賞により遊技者に与えられるべき当たり外れ抽選の利益を当たり遊技後に確実に補償できるパチンコ機が得られる。
【発明を実施するための最良の形態】
【０００６】
図１は本発明の遊技機としてのパチンコ機の構成を示すブロック図、図２はパチンコ機の制御の流れの概要を示す図、図３は当たり外れ知識を示す図、図４はカウント動作停止時間知識を示すである。
図１に示すようにパチンコ機は遊技盤１の前面である意匠盤面１ａにおいてガイドレール２で囲まれた内側の遊技領域３に始動入賞部品４、当たり外れ抽選による当たり外れ図柄を表示する表示器５、可変入賞部品６、保留数表示手段７を備える。ガイドレール２の外側部分と内側部分との間は球通路８になっている。始動入賞部品４としては遊技領域３から球を取込んで遊技盤１の裏側に排出する取込型や遊技領域３から球を取込んで遊技領域３に排出する球通過型がある。表示器５は例えば液晶表示器のように電気的に表示形態の変えられる画像を表示画面５ａに表示する表示器である。可変入賞部品６は前後方向に開閉する開閉体１２を有するアタッカや大入賞口と呼ばれるような形態である。また、例えば遊技盤１の裏側には、始動入賞部品４に取込まれた球を検出する始動入賞球検出器１１、電気的に動作して可変入賞部品６の開閉体１２を開閉するアクチュエータ１３、開閉体１２の開放中に可変入賞部品６に取込まれた球を検出する可変入賞球検出器１４などが設けられ、遊技盤１の裏側又は遊技盤１を格納した図外の遊技機枠の裏側には主制御装置１５を備える。
【０００７】
本発明の遊技機の制御装置としての主制御装置１５は、ＣＰＵ，記憶装置，入出力ポート等を備えたいわゆるコンピュータで構成され、具体的には以下のような機能構成を備えたものである。即ち、図１に示すように、主制御装置１５は、入賞検出手段２１、遊技状態設定手段２２、当たり外れ抽選手段２３、当たり外れ抽選カウンタ２４、当たり外れ知識２５、図柄変動時間計測タイマ２６、当たり外れ抽選結果記憶部２７、開閉駆動手段２８、始動入賞数計数カウンタ２９、始動入賞数記憶部３０、カウント動作停止時間抽選手段３１、カウント動作停止時間抽選カウンタ３２、カウント動作停止時間知識３３、カウント動作停止時間計測タイマ３４、未抽選数記憶カウンタ３５、当たり外れ抽選結果判定手段１００、カウント動作制御手段１０１、当たり予告情報送出手段１０２、抽選補償手段１０３を備える。上記各手段、タイマ、カウンタは、ＲＡＭで構成された主記憶装置にＲＯＭから転送されるプログラム及びデータと、これらプログラム及びデータにより処理を行うＣＰＵとで具現化される。尚、主記憶装置はその時点でＣＰＵが使用中、又は使用頻度の高いプログラム及びデータを記憶するものであり、従って、主記憶装置は、各記憶部２７，３０を備える。また、各知識はＲＯＭに格納されており、主制御装置１５の起動によりＲＯＭから主記憶装置に読み込まれる。
【０００８】
表示器５による図柄表示は本発明のパチンコ機の副制御装置としての表示制御装置４０により制御され、表示制御装置４０は、ＣＰＵ（中央処理装置），記憶装置，入出力ポート等を備えたいわゆるコンピュータで構成され、具体的には以下のような機能構成を備えたものである。即ち、図１に示すように、表示制御装置４０は、表示設定手段４０Ａ、図柄変動時間計測タイマ４１、情報記憶部４２、画像記憶部４３、画像処理手段４４を備える。上記各手段、タイマは、ＲＡＭで構成された主記憶装置にＲＯＭから転送されるプログラム及びデータと、これらプログラム及びデータにより処理を行うＣＰＵとで具現化される。尚、主記憶装置はその時点でＣＰＵが使用中、又は使用頻度の高いプログラム及びデータを記憶するものであり、従って、主記憶装置は、情報記憶部４２を備える。情報記憶部４２には主制御装置１５から送られてくる当たり外れ図柄停止情報（当たり外れ図柄停止コマンド）、当たり予告情報（当たり予告コマンド）等が記憶される。また、画像記憶部４３には、当たり外れ図柄の変動パターン画像，背景画像等の画像が記憶されており、画像処理手段４４が情報記憶部４２に記憶された情報に基づいて画像記憶部４３から画像を取出して表示器５の表示画面５ａに画像を表示する画像表示処理を行う。尚、画像処理手段４４が、情報記憶部４２に記憶された情報とこの情報により処理を行う専用ＰＵ（処理装置）とで具現化される場合もある。
【０００９】
まず、図２に基づいて実施形態によるパチンコ機の遊技制御の流れの概要を説明する。
始動入賞部品４に取込まれた球が始動入賞球検出器１１で検出され、この始動入賞検出信号が主制御装置１５の入賞検出手段２１に入力されて識別された場合、即ち、始動入賞があると（ステップ１００１）、入賞検出手段２１から遊技状態設定手段２２に始動入賞信号が送信され、遊技状態設定手段２２は表示制御装置４０に図柄変動開始情報（図柄変動開始コマンド）を送信し、これにより、画像処理手段４４が当たり外れ図柄の図柄変動表示を行う（ステップ１００２）。遊技状態設定手段２２は表示制御装置４０に図柄変動を指示するとともに当たり外れ抽選手段２３に当たり外れ抽選を行わせる（ステップ１００３）。遊技状態設定手段２２は当たり外れ抽選により取得した当たり外れ抽選結果５０を当たり外れ抽選結果記憶部２７に記憶し（ステップ１００４）、当たり外れ抽選結果５０に付加された当たり外れ図柄停止情報５２を表示制御装置４０に送信する。表示制御装置４０の表示設定手段４０Ａは主制御装置１５から送られてくる当たり外れ図柄停止情報５２等の情報を情報記憶部４２に記憶する。そして、当たり外れ抽選結果判定手段１００は、当たり外れ抽選で取得した当たり外れ抽選結果５０が当たりの抽選結果５０Ａであるか外れの抽選結果５０Ｂであるかを判定し（ステップ１００５）、当たりの抽選結果５０Ａであると判定されたならば（ステップ１００５でＹＥＳ）、カウント動作制御手段１０１は当たり外れ抽選カウンタ２４のカウント動作を停止する（ステップ１００６）。具体的には、当たり外れ抽選結果判定手段１００は当たりの抽選結果５０Ａであると判定したならば、カウント動作制御手段１０１はカウント動作停止時間抽選手段３１にカウント動作停止時間抽選を行わせ、これにより得られた停止時間をカウント動作停止時間計測タイマ３４にセットするとともに当たり外れ抽選カウンタ２４のカウント動作を停止させ、カウント動作停止時間計測タイマ３４からタイムアップ信号を入力すると当たり外れ抽選カウンタ２４のカウント動作を再開させる。カウント動作の再開後に、当たり予告情報送出手段１０２は、上記当たりの抽選結果５０Ａに当たり予告情報５３が付加されているか否かを判定し、付加されていれば当該当たり予告情報５３を表示制御装置４０，音制御装置７５，表示灯制御装置７７等の各副制御装置に送る（ステップ１００７）。これにより、各副制御装置は当たり予告情報５３を受信してその当たり予告情報５３の内容に従って演出部品を駆動して当たり予告演出を行う。当たり予告演出後、画像処理手段４４が情報記憶部４２に記憶されている当たり外れ図柄停止情報５２に従って表示器５の当たり外れ変動図柄を当たり図柄で停止表示し（ステップ１００８）、当たり図柄で停止表示された後、遊技状態設定手段２２は当たり遊技を設定する（ステップ１００９）。
尚、当たり外れ抽選により取得された当たり外れ抽選結果５０が外れの抽選結果５０Ｂであれば（ステップ１００５でＮＯ）、画像処理手段４４が情報記憶部４２に記憶されている当たり外れ図柄停止情報５２に従って表示器５の当たり外れ変動図柄を外れ図柄で停止表示する（ステップ１０１０）。この場合、当たり予告情報送出手段１０２は、外れの抽選結果５０Ｂに当たり予告情報５３が付加されているか否かを判定し、付加されていれば当該当たり予告情報５３を各副制御装置に送信する。これにより、各副制御装置が嘘の当たり予告演出を行った後に、表示制御装置４０の画像処理手段４４が表示器５の当たり外れ変動図柄を外れ図柄で停止表示する。以下、詳説する。
【００１０】
主制御装置１５が電力供給で起動し、図外の遊技機枠の前側に設けられた図外の受皿に球が入れられた状態において、遊技者が遊技機枠の前側に設けられた球発射操作機構６１を操作すると、主制御装置１５が遊技機枠の内部に設けられた球発射機構６２を駆動し、球発射機構６２が受皿から供給された球を１個ずつ球発射操作機構６１による操作量に応じた発射力で遊技領域３に向けて発射する。そして、遊技領域３に発射された球が始動入賞部品４に入賞すると、始動入賞球検出器１１が始動入賞検出信号を入賞検出手段２１に出力する。一方、遊技領域３には始動入賞部品４や可変入賞部品６以外の図示を省略した入賞部品も設けられており、上記遊技領域３に発射された球が図外の入賞部品に入賞した場合には、その入賞部品に入賞した球を検出した図外の球検出器が入賞検出信号を入賞検出手段２１に出力する。そのようなことから、主制御装置１５の入賞検出手段２１は入賞信号が主制御装置１５のマイクロコンピュータに入力された入力ポートの位置の違いで、どの入賞部品に対応する球検出器からの入賞検出信号であるかを識別する。即ち、始動入賞球検出器１１と入賞検出手段２１とにより始動入賞を検出する始動入賞検出手段が構成される。
【００１１】
始動入賞があれば（図２のステップ１００１）、入賞検出手段２１が始動入賞検出信号を識別した判断結果である始動入賞信号を遊技状態設定手段２２に出力する。これにより遊技状態設定手段２２が表示制御装置４０に図柄変動開始情報を出力し、当たり外れ抽選手段２３に始動入賞信号を出力する。これにより表示制御装置４０の画像処理手段４４が当たり外れ図柄の変動表示を開始し（図２のステップ１００２）、当たり外れ抽選手段２３が当たり外れ抽選を行う（図２のステップ１００３）。
表示制御装置４０では、表示設定手段４０Ａが、図柄変動開始情報の入力により変動パターン画像表示情報（変動パターン画像表示コマンド）を取得して、この変動パターン画像表示情報を情報記憶部４２に記憶する。表示設定手段４０Ａは、変動パターン画像表示情報を情報記憶部４２に記憶したら、図柄変動指示信号を画像処理手段４４に出力する。画像処理手段４４は、図柄変動指示信号を受けると、情報記憶部４２に記憶された変動パターン画像表示情報に従って変動パターン画像を画像記憶部４３から取出して表示器５の表示画面５ａに表示する。即ち、当たり外れ図柄の図柄変動表示を行う（図２のステップ１００２）。尚、変動パターン画像表示情報（画像記憶部４３に記憶されている変動パターン画像の中からどの変動パターン画像を表示させるかを示す情報）は、例えば、表示設定手段４０Ａが、図柄変動開始情報（例えば論理「１」の信号）を入力したタイミングで抽選を行って取得する。この場合の抽選は、後述する当たり外れ抽選と同様の手法で行えばよい。
また、遊技状態設定手段２２が始動入賞信号を入力した際に予め決められた図柄変動時間を計測する図柄変動時間計測タイマ２６をセットし、表示設定手段４０Ａが図柄変動指示信号を画像処理手段４４に送るとともに予め決められた図柄変動時間を計測する図柄変動時間計測タイマ４１をセットする。よって、図柄変動時間の開始とともに、画像処理手段４４が表示器５の当たり外れ図柄の図柄変動を開始する。
【００１２】
当たり外れ抽選手段２３は主制御装置１５の１回の処理サイクル時間である例えば４ｍｓ毎に例えば巡回形のカウンタで形成された当たり外れ抽選カウンタ２４のカウント動作を行い、遊技状態設定手段２２が始動入賞信号を入力した際のタイミングで当たり外れ抽選カウンタ２４のカウント値を乱数値として取得し、取得したカウント値を当たり外れ知識２５に照合してそのカウント値に対応付けられた当たり外れ抽選結果５０を抽出する。遊技状態設定手段２２は当たり外れ抽選手段２３により抽出された当たり外れ抽選結果５０を当たり外れ抽選結果記憶部２７に記憶する。
当たり外れ知識２５は例えば図３に示すように当たり外れ抽選カウンタ２４のカウント値（乱数値）Ａ毎に当たり外れ抽選結果５０が割り付けられたテーブルより構成される。
当たり外れ抽選結果５０は、当たり外れ識別子５１と当たり外れ図柄停止情報５２、あるいは、当たり外れ識別子５１と当たり外れ図柄停止情報５２と当たり予告情報５３とから構成される。
図３に示すように、当たりの抽選結果５０Ａには当たり予告情報５３が付加されているものと当たり予告情報５３が付加されていないものがあり、また、外れの抽選結果５０Ｂにも当たり予告情報５３が付加されているものと当たり予告情報５３が付加されていないものがある。従って、当たり予告情報５３が付加されている外れの抽選結果５０Ｂを取得した場合には、嘘の当たり予告が遊技者に提供されることになる。また、遊技者に当たり予告が提供されなくても当たり遊技となる場合がある。従って、当たり予告情報５３の内容に従った当たり予告が遊技者に提供される場合には、遊技者に当たりではないかとの期待感を抱かせる演出がなされ、遊技性が向上する。
【００１３】
当たりの抽選結果５０Ａは例えばビット情報「１」である当たりを示す当たり外れ識別子５１と表示器５の表示画面５ａに当たり図柄を停止表示させるための当たり外れ図柄停止情報５２とを有し、外れの抽選結果５０Ｂは例えばビット情報「０」である外れを示す当たり外れ識別子５１と表示器５の表示画面５ａに外れ図柄を停止表示させるための当たり外れ図柄停止情報５２とを有する。当たり図柄は、例えば表示器５の表示画面５ａの上，中，下の３列及び２つの斜め列のうちのいずれかに揃うように停止表示される「１，１，１」、「２，２，２」、「３，３，３」、「４，４，４」、「５，５，５」、「６，６，６」、「７，７，７」、「８，８，８」、「９，９，９」、「第１絵図柄，第１絵図柄，第１絵図柄」「第２絵図柄，第２絵図柄，第２絵図柄」「第３絵図柄，第３絵図柄，第３絵図柄」であり、当たりの抽選結果５０Ａの当たり外れ図柄停止情報５２は、上記いずれかの当たり図柄を表示画面５ａの上，中，下の３列及び２つの斜め列のうちのいずれかに揃うように停止表示させるための情報である。
尚、上記では表示器５の表示画面５ａ中に９つの当たり外れ図柄を停止表示する場合を示したが、表示器５の表示画面５ａ中の例えば横一列に３つの当たり外れ図柄を停止表示したり、表示器５の表示画面５ａ中に１つの当たり外れ図柄を停止表示してもよい。
【００１４】
遊技状態設定手段２２は、当たり外れ抽選結果記憶部２７に記憶された当たり外れ抽選結果５０の当たり外れ図柄停止情報５２を表示制御装置４０に出力する。表示設定手段４０Ａは、入力した当たり外れ図柄停止情報５２を情報記憶部４２に記憶し、図柄変動時間計測タイマ４１からのタイムアップ信号を受けて、画像処理手段４４にタイムアップ信号を出力する。画像処理手段４４は、タイムアップ信号を受けると、情報記憶部４２に記憶された当たり外れ図柄停止情報５２に従って当たり外れ図柄を停止表示させる（図２のステップ１００８，１０１０）。
当たり外れ抽選結果５０が当たりの抽選結果５０Ａの場合、表示設定手段４０Ａは図柄変動時間計測タイマ４１からのタイムアップ信号を受け、画像処理手段４４が当たりの抽選結果５０Ａの当たり外れ図柄停止情報５２に従って当たり図柄に揃うように図柄を停止表示することになる。一方、主制御装置１５の遊技状態設定手段２２は、図柄変動時間計測タイマ２６からのタイムアップ信号を受けて開閉駆動手段２８に可変入賞部品６の開閉体１２の開閉を指示する。これにより、開閉駆動手段２８がアクチュエータ１３を駆動し、アクチュエータ１３が開閉体１２を所定回数又は所定時間開閉する。つまり、上記始動入賞に伴う図柄変動に続く可変入賞部品６の開閉体１２の開閉による当たり遊技と呼ばれる一連の遊技が行われる。即ち、表示器５の表示画面５ａに当たり図柄が揃うように停止表示された後に当たり遊技に移行する。
当たり外れ抽選結果５０が外れの抽選結果５０Ｂの場合には、表示設定手段４０Ａは図柄変動時間計測タイマ４１からのタイムアップ信号を受け、画像処理手段４４が外れの抽選結果５０Ｂの当たり外れ図柄停止情報５２に従って当たり図柄以外の図柄、即ち、外れ図柄を停止表示することになる。一方、遊技状態設定手段２２は、図柄変動時間計測タイマ２６からのタイムアップ信号を受けて上記始動入賞に伴う一連の遊技に関する制御を終了する。
【００１５】
以下、図２のステップ１００５以降を詳説する。
当たり外れ抽選結果判定手段１００は、当たり外れ抽選結果記憶部２７に記憶された当たり外れ抽選結果５０が当たりの抽選結果５０Ａであるか否かを当たり外れ識別子５１により判定する。当たり外れ抽選結果判定手段１００による判定で当たりの抽選結果５０Ａであると判定されたら（ステップ１００５のＹＥＳ）、カウント動作制御手段１０１は、カウント動作停止時間抽選手段３１にカウント動作停止時間抽選を行わせ、これにより得られた停止時間だけ当たり外れ抽選カウンタ２４のカウント動作を停止する（ステップ１００６）。
カウント動作停止時間抽選手段３１は主制御装置１５の１回の処理サイクル時間である例えば４ｍｓ毎に例えば巡回形のカウンタで形成されたカウント動作停止時間抽選カウンタ３２のカウント動作を行い、当たり外れ抽選結果判定手段１００が当たりの抽選結果５０Ａを判定したタイミングでカウント動作停止時間抽選カウンタ３２のカウント値を乱数値として取得し、取得したカウント値をカウント動作停止時間知識３３に照合してそのカウント値に対応付けられた停止時間情報を抽出し、カウント動作制御手段１０１に出力する。
カウント動作停止時間知識３３は、例えば図４に示すように、カウント動作停止時間抽選カウンタ３２のカウント値（乱数値）Ｂ毎に異なる停止時間情報３６が対応付けられたデータテーブルより構成される。
【００１６】
カウント動作制御手段１０１は、カウント停止時間抽選により得られたカウント停止時間抽選結果である停止時間情報３６による停止時間をカウント動作停止時間計測タイマ３４にセットするとともに当たり外れ抽選カウンタ２４のカウント動作を停止させ、このカウント動作停止時間計測タイマ３４からのタイムアップ信号を受けた場合に当たり外れ抽選カウンタ２４のカウント動作を再開させる。即ち、カウント動作制御手段１０１は、カウント停止時間抽選で得た停止時間情報３６による停止時間をカウント動作停止時間計測タイマ３４にセットした後このタイマ３４からのタイムアップ信号を受けるまでの間、当たり外れ抽選手段２３へのカウントタイミングクロックの供給を停止することにより、当たり外れ抽選手段２３による当たり外れ抽選カウンタ２４のカウント動作を停止させ（例えば主制御装置１５の１回の処理サイクル時間である４ｍｓ毎のカウントタイミングクロックの供給を停止する）、カウント動作停止時間計測タイマ３４からのタイムアップ信号を受けると当たり外れ抽選手段２３へのカウントタイミングクロックの供給を再開し、これにより、当たり外れ抽選手段２３による当たり外れ抽選カウンタ２４のカウント動作を再開させる。
【００１７】
また、当たり予告情報送出手段１０２は、カウント動作停止時間計測タイマ３４からのタイムアップ信号を受けて、取得した当たりの抽選結果５０Ａに当たり予告情報５３が付加されているか否かを判定し、付加されていれば、各副制御装置に当たり予告情報５３を送信する。各副制御装置は当たり予告情報５３を受信してその当たり予告情報５３の内容に従って演出部品を駆動して当たり予告演出を行う。例えば、表示制御装置４０に当たり予告図柄を表示させる当たり予告情報５３を送信して、演出部品としての表示器５に当たり予告情報５３の内容に従った当たり予告図柄を表示させたり、音制御装置７５に当たり予告音を発音させる当たり予告情報５３を送信して、演出部品としてのスピーカ７６を介して当たり予告情報５３の内容に従った当たり予告としての特殊音等を出力させたり、表示灯制御装置７７に当たり予告点灯、点滅等を指示する当たり予告情報５３を送信して、演出部品としてのランプ７８を介して当たり予告情報５３の内容に従った当たり予告としてのランプ点灯，点滅駆動を行わせたりする。尚、当たり予告情報送出手段１０２は、当たり外れ抽選で取得した外れの抽選結果５０Ｂに当たり予告情報５３が付加されていると判定すれば、その当たり予告情報５３を副制御装置に送信する。これにより、副制御装置は嘘の当たり予告を演出することになる。
【００１８】
よって、当たりの抽選結果５０Ａを得た場合に、カウント動作停止時間抽選によって得られた停止時間だけ当たり外れ抽選カウンタ２４のカウント動作を停止するため、当たりの抽選結果５０Ａを得た後は、当たり外れ抽選カウンタ２４が当たりカウント値をカウントする時期がずれることになるので、遊技者が不正支援機を用いたとしても、当たり外れ抽選カウンタ２４の当たりカウント値の配置の周期性を把握しにくくなり、当たり遊技を不正取得しにくいようになる。
また、当たりの抽選結果５０Ａが得られる毎に停止時間抽選を行うので、当たりの抽選結果５０Ａが得られる毎に異なる停止時間が設定される可能性が高くなり、さらに当たりのカウント値の配置の周期性を把握しにくくできる。
また、当たりの抽選結果５０Ａを得た場合はカウント動作停止時間抽選で得られた停止時間を経過してから当たり予告情報５３を副制御装置に送出するので、副制御装置に当たり予告演出を行わせることができて遊技性を向上できるとともに、遊技者に当たり予告情報５３の送信タイミングを把握されたとしても、当たりの抽選結果５０Ａを得た後は、当たり外れ抽選カウンタ２４の当たりカウント値をカウントする時期がずれるので、当たり外れ抽選カウンタ２４の当たりのカウント値の配置の周期性を把握しにくくなる。すなわち、副制御装置に当たり予告演出を行わせることができて遊技に面白さを付与できるとともに、当たり遊技を不正取得しにくいようにできる。
また、外れの抽選結果５０Ｂであっても当たり予告情報５３が送信される場合があり、当たり予告情報５３が送信されても当たりの抽選結果５０Ａによるものか外れの抽選結果５０Ｂによるものかは当たり外れ図柄が停止表示されるまではわからないので、当たりの抽選結果５０Ａを得た場合の当たり予告情報５３の送信タイミングも把握しにくくなり、当たり外れ抽選カウンタ２４の当たりのカウント値の配置の周期性を把握することがさらに困難になる。
【００１９】
当たり遊技においては、開閉駆動手段２８が可変入賞部品６の開閉体１２を所定回数又は所定時間開閉する遊技が行われる。そして、遊技領域３に発射された球が開閉体１２の開放中に可変入賞部品６に入賞すると、当該入賞した球を検出した可変入賞球検出器１４が入賞検出手段２１に可変入賞検出信号を出力し、入賞検出手段２１が当該可変入賞検出信号に基づく賞球払出信号を球払出制御部６３に出力し、球払出制御部６３は球払出機構６４を制御する。これにより、球払出機構６４が始動入賞に対応する数の賞球としての球を受皿に払い出す。尚、当たり遊技では、可変入賞部品６内に入った球により特定の条件が満たされれば開閉体１２が閉じられた後に再び開くが、特定の条件が満たされなければ開閉体１２が閉じて当たり遊技が終了する。例えば、球が可変入賞部品６の図外の普通入賞部に特定数（例えば１０個）入賞するまでの間に可変入賞部品６の図外の特定入賞部への入賞があったという条件や、所定の時間内に特定入賞部への入賞があったという条件などの特定の条件を満たす度に開閉体１２は一旦閉じられる。この一旦閉じるまでの間をラウンドといい、特定の条件が成立すれば、ラウンドは所定回数までは継続する。従って、例えば最大ラウンド数が１６ラウンドであるとすれば、特定の条件が成立すれば、１６ラウンドまで継続する。特定の条件が成立しなければ条件が成立しなかったラウンドでラウンド継続が終了して、当たり遊技が終了する。
【００２０】
また、始動入賞に伴う図柄変動からこの始動入賞による外れの抽選結果５０Ｂに基づいて図柄変動を終了するまでの一連の遊技中、又は、始動入賞に伴う図柄変動からこの始動入賞による当たりの抽選結果５０Ａに基づいて当たり遊技が終了するまでの一連の遊技中において、当該始動入賞の球とは別に遊技領域３に発射された球により始動入賞が１以上あると、始動入賞毎に当たり外れ抽選手段２３による当たり外れ抽選が行われ、その当たり外れ抽選結果５０が当たり外れ抽選結果記憶部２７に記憶される。即ち、図１に示すように、当たり外れ抽選結果記憶部２７は現在制御中の当たり外れ抽選結果５０を格納する記憶部２７ａと後発の始動入賞に基づく例えば４つ分の当たり外れ抽選結果５０を先入れ先出し方式（ＦＩＦＯ）で格納及び上記記憶部２７ａに出力する先入れ先出し記憶部２７ｂとを備え、最初の始動入賞に基づく当たり外れ抽選結果５０はまず記憶部２７ａに記憶され、上述した始動入賞に伴う一連の遊技中での始動入賞に基づく当たり外れ抽選結果５０は先入れ先出し記憶部２７ｂに順次記憶される。始動入賞に伴う一連の遊技が終了すると、図柄変動時間計測タイマ２６からのタイムアップ信号が先入れ先出し記憶部２７ｂに出力され、これにより先入れ先出し記憶部２７ｂに記憶されていた最先の当たり外れ抽選結果５０が記憶部２７ａに転送され、記憶される。
【００２１】
また、遊技状態設定手段２２は入賞検出手段２１からの始動入賞信号を入力すると、図柄変動期間中か否か、当たり遊技中か否か、即ち、上述した始動入賞に伴う一連の遊技中であるか否かを判断して、始動入賞に伴う一連の遊技中であれば、遊技状態設定手段２２はその始動入賞信号を始動入賞数計数カウンタ２９に出力する。これによって、例えば始動入賞数計数カウンタ２９は始動入賞に伴う一連の遊技中に発生した始動入賞毎に「１」ずつカウントアップし、始動入賞数計数カウンタ２９の値が始動入賞数記憶部３０に記憶される。また始動入賞数計数カウンタ２９は図柄変動時間計測タイマ２６からのタイムアップ信号を入力して「１」ずつカウントダウンし、始動入賞数計数カウンタ２９の値が始動入賞数記憶部３０に記憶される。保留数表示手段７は始動入賞数記憶部３０に記憶されている数に対応して表示灯７０ａ〜７０ｄを点灯及び消灯する。尚、保留数は始動記憶数とも呼ばれる。遊技者はこの表示灯７０ａ〜７０ｄの点灯及び消灯を確認して現在保留されている始動入賞（即ち、始動記憶）の数を確認でき、現在の図柄変動の後に図柄変動が何回行われるか、即ち、遊技者は当たり図柄が停止表示されるチャンスが何回残っているかをその都度確認できる。
【００２２】
始動入賞に伴う図柄変動からこの始動入賞での外れの抽選結果５０Ｂに基づいて図柄変動を終了するまでの一連の遊技中に始動入賞があった場合には、遊技状態設定手段２２が当該始動入賞に基づく当たり外れ抽選結果５０を先入れ先出し記憶部２７ｂに順次記憶するとともに、前の始動入賞に基づく外れの抽選結果５０Ｂによる図柄変動が終了したことを図柄変動時間計測タイマ２６からのタイムアップ信号により検出したら、先入れ先出し記憶部２７ｂに記憶されていた最先の当たり外れ抽選結果５０から順番に記憶部２７ａに格納してその都度図柄変動時間計測タイマ２６をリセットして当該当たり外れ抽選結果５０の当たり外れ図柄停止情報５２を表示設定手段４０Ａに送り、表示設定手段４０Ａは当たり外れ図柄停止情報５２を入力する毎に情報記憶部４２に記憶して図柄変動時間計測タイマ４１をリセットし、この図柄変動時間計測タイマ４１からのタイムアップ信号を受ける。そして、画像処理手段４４は、当たり外れ図柄停止情報５２の内容に従って当たり外れ図柄を停止表示する。
【００２３】
また、始動入賞に伴う図柄変動からこの始動入賞での当たりの抽選結果５０Ａによる当たり遊技が終了するまでの一連の遊技中に始動入賞があった場合には、遊技状態設定手段２２が当該始動入賞に基づく当たり外れ抽選結果５０を先入れ先出し記憶部２７ｂに記憶するとともに、当たり遊技が終了したら、先入れ先出し記憶部２７ｂに記憶されていた最先の当たり外れ抽選結果５０から順番に記憶部２７ａに格納していってその都度図柄変動時間計測タイマ２６をリセットして当該当たり外れ抽選結果５０の当たり外れ図柄停止情報５２を表示設定手段４０Ａに送り、表示設定手段４０Ａは当たり外れ図柄停止情報５２を入力する毎に情報記憶部４２に記憶して図柄変動時間計測タイマ４１をリセットし、この図柄変動時間計測タイマ４１からのタイムアップ信号を受ける。そして、画像処理手段４４は、当たり外れ図柄停止情報５２の内容に従って当たり外れ図柄を停止表示する。
【００２４】
また、始動入賞による当たり外れの抽選で当たりの抽選結果５０Ａが得られた場合は、当該始動入賞による図柄変動から当たり遊技が終了するまでの一連の遊技中において当たり外れ抽選カウンタ２４のカウント動作が停止時間抽選で得られた停止時間だけ停止している期間がある。この当たり外れ抽選カウンタ２４のカウント動作停止期間に始動入賞があった場合は、この始動入賞のタイミングによって当たり外れ抽選を行うことができないので、本発明ではこの停止期間に生じた始動入賞分の当たり外れ抽選を補償する抽選補償手段１０３を設けた。抽選補償手段１０３は、当たり遊技後において、始動入賞による図柄変動から当たり遊技が終了するまでの一連の遊技中に生じた始動入賞の数（始動入賞数記憶部３０に記憶されている数）と、当たり外れ抽選結果記憶部２７に残っている当たり外れ抽選結果５０の数とを比較し、始動入賞の数が当たり外れ抽選結果の数より多ければ、即ち、始動入賞数−当たり外れ抽選結果記憶数＝未抽選数ｎ（ｎは１以上の整数）であれば、ｎ分の当たり外れ抽選を行う。例えば、未抽選数ｎを未抽選数記憶カウンタ３５に保持し、当たり遊技後に、抽選補償手段１０３が、この未抽選数記憶カウンタ３５をカウントダウンし、このカウントダウンするタイミングにより当たり外れ抽選カウンタ２４のカウント値を取得して、このカウント値を当たり外れ知識２５に照合して当たり外れ抽選結果５０を取得して当たり外れ抽選結果記憶部２７に記憶し、このようにして抽選した当たり外れ抽選結果５０の当たり外れ図柄停止情報５２及び当たり予告情報５３を、上記当たり遊技後に当たり外れ抽選結果記憶部２７に残っていた当たり外れ抽選結果分の図柄変動が終了したら表示制御装置４０に送るようにすればよい。尚、始動入賞による図柄変動から当たり遊技が終了するまでの一連の遊技中に保留可能な始動入賞の数（即ち、始動記憶数）の最大数が例えば「４」であるとすると、未抽選分も４以下である。以上により、当たり遊技後に、当たり外れ抽選カウンタ２４のカウント動作停止中に生じた始動入賞分の当たり外れ抽選も行うことができるようになる。よって、始動入賞により遊技者に与えられるべき当たり外れ抽選の利益を当たり遊技後に確実に補償できるパチンコ機が得られる。
【００２５】
尚、当たり外れ抽選カウンタ２４のカウント動作停止中に生じた始動入賞を記憶する図外の専用の始動入賞計数カウンタを設けて、当たり遊技後に、カウント動作停止中に生じた始動入賞数分の当たり外れ抽選を行うようにしてもよい。このようにすれば、始動入賞による図柄変動から当たり遊技が終了するまでの一連の遊技中に保留可能な始動入賞（始動記憶）の数の最大数分より多い当たり外れ抽選結果が得られるようになり、遊技者に有利な遊技を提供できる。
【００２６】
また、当たり外れ抽選カウンタ２４のカウント動作を停止させている間は、始動入賞数記憶部３０の記憶を中止して、当たり外れ抽選カウンタ２４のカウント動作停止中に生じた始動入賞分の当たり外れ抽選を行わないようにしてもよい。
【００２７】
尚、上記では、表示設定手段４０Ａが抽選で変動パターン画像表示情報を取得する例を示した。この場合、主制御装置１５が表示制御装置４０に図柄変動開始情報として例えば論理「１」の信号を送るだけでよく、変動パターン画像表示情報を送信しないので、主制御装置１５の負担を軽減できる。
一方、図３の当たり外れ知識２５に変動パターン画像表示情報を付加しておいて、表示制御装置４０に図柄変動開始情報を送って一定の変動画像で図柄変動を開始させておいてから、当たり外れ抽選で取得した当たり外れ抽選結果が当たりの抽選結果であるか否かを当たり外れ抽選結果判定手段１００で判定した後に、主制御装置１５から表示制御装置４０に変動パターン画像表示情報，当たり外れ図柄停止情報，当たり予告情報を送信して、画像処理手段４４にこれら情報に基づいた画像表示処理を行わせるようにしてもよい。
また、図３の当たり外れ知識２５に図柄変動開始情報及び変動パターン画像表示情報を付加しておいて、当たり外れ抽選で取得した当たり外れ抽選結果が当たりの抽選結果であるか否かを当たり外れ抽選結果判定手段１００で判定した後に、主制御装置１５から表示制御装置４０に図柄変動開始情報，変動パターン画像表示情報，当たり外れ図柄停止情報，当たり予告情報を送信して、画像処理手段４４にこれら情報に基づいた画像表示処理を行わせるようにしてもよい。この場合、図柄変動開始情報に図柄変動時間情報を含ませておくことにより、図柄変動時間を変えることも可能となる。
【産業上の利用可能性】
【００２８】
本発明はスロットマシンにも適用でき、同様な効果が得られる。即ち、制御装置が、遊技開始操作レバーや遊技開始操作ボタン等の遊技開始操作手段の操作又はコイン等の遊技媒体の投入を検出することにより当たり外れ抽選カウンタのカウント値を取得し、当たり外れ抽選カウンタのカウント値毎に当たり外れ抽選結果を対応付けた当たり外れ知識に上記取得したカウント値を照合して当たり外れ抽選結果を取得し、この取得した当たり外れ抽選結果を当たりの抽選結果であると判定した場合に当たり遊技を行うスロットマシンにおいて、制御装置に、上述したような当たり外れ抽選結果判定手段とカウント動作制御手段等を備え、当たり外れ抽選結果判定手段が当たり外れ抽選結果を当たりの抽選結果であると判定した場合に、カウント動作制御手段が当たり外れ抽選カウンタのカウント動作を停止した後にカウント動作を再開する構成とすることで、遊技者が不正支援機を用いたとしても、当たり外れ抽選カウンタの当たりカウント値の配置の周期性を把握しにくいようにでき、当たり遊技を不正取得しにくいようにできるスロットマシンが得られる。
【図面の簡単な説明】
【００２９】
【図１】本発明のパチンコ機のブロック構成図。
【図２】同パチンコ機の制御の流れの概要を示す図。
【図３】同パチンコ機の当たり外れ知識を示す図。
【図４】同パチンコ機のカウント動作停止時間知識を示す図。
【符号の説明】
【００３０】
４  始動入賞部品、５  表示器、１５  主制御装置、２２  遊技状態設定手段、
２３  当たり外れ抽選手段、２４  当たり外れ抽選カウンタ、２５  当たり外れ知識、
２７  当たり外れ抽選結果記憶部、３０  始動入賞数記憶部、
３１  カウント動作停止時間抽選手段、３２  カウント動作停止時間抽選カウンタ、
３３  カウント動作停止時間知識、４０  表示制御装置（副制御装置）、
５０  当たり外れ抽選結果、５０Ａ  当たりの抽選結果、５０Ｂ  外れの抽選結果、
５３  当たり予告情報、１００  当たり外れ抽選結果判定手段、
１０１  カウント動作制御手段、１０２  当たり予告情報送出手段、
１０３  抽選補償手段。
【図１】
2004160201.tif 000003
【図２】
2004160201.tif 000004
【図３】
2004160201.tif 000005
【図４】
2004160201.tif 000006